Podtech/llm-jp-corpus-v4-ja_patent huggingface dataset:
(57)【要約】      （修正有） 【課題】簡単手洗いで、水の節約、普通の洗剤で倹約、炊事の時間の短縮、面倒くさがりやの人でも、洗うのが、楽しく成るレンジグリル焼網を提供する。【解決手段】グリル焼網１の４辺の外径を、グリル受け皿２の内径より少し小さく作成し、四隅に脚３を、取り付ける。焼き網使用後、グリル受け皿２に、ひっくり返して、スッポリ入れ、水又は熱湯５を入れて、汚れた、グリル焼網１を、ほとびらかして、後は洗うだけある。【選択図】図２
0003190945.tif 000002
【実用新案登録請求の範囲】
【請求項１】
焼網部の四辺の外径をレンジの受け皿の内径より小さくしたレンジグリル焼網。
【考案の詳細な説明】
【技術分野】
【０００１】
本考案は、レンジのグリル焼網に関するものである。
【背景技術】
【０００２】
元来、レンジのグリル焼網は、別紙  図３  の形状です。グリル焼網をグリル受け皿に乗せ、魚や肉類等の料理をしますと、グリル焼網は、焦げ付いた汁や油等が、      グリル焼網に、こう貼りつきます。食後、すぐ洗い流せば、ある程度は綺麗になりますが、うっかり忘れて、数日以上、ほったらかしにしてしまったり、めんどくさいなーと思ったりして、汚れたままで、料理をしてしまいますと大変です。色々な洗剤等を使用し、スチールたわしで、懸命に擦ってもなかなか思うように汚れが取れません。市販の取替え用のグリル網焼を購入することが出来ますが、無駄使いになります。
普通、一般的な流し台のシンクには、水を貯めるための栓が有りません。洗い桶を、使って、食器類を洗います。しかし、その洗い桶には、グリル焼網が半分位いしか浸かりません。
【考案の概要】
【考案が解決しようとする課題】
【０００３】
グリルにこうばり付いた、頑固な汚れを荒い取る事。  
【課題を解決するための手段】
【０００４】
別紙  図１、の様に、グリル焼網を、グリル受け皿の内径より４辺を、少し小さく作成し、四隅に脚を、取り付ける。シンクには一般的な洗い桶と、グリル受け皿が二つ一緒に入りますので、グリル受け皿を、洗い桶と見立てて、グリル受け皿に、グリル焼網を入れ、別紙  図２、の様に、使用済みの焼網を、ひっくり返して、スッポリ入れ、水又は熱湯を入れて、汚れた、グリル焼網を、ほとびらかして、後は洗うだけです。  
【考案の効果】
【０００５】
簡単手洗いで、水の節約、普通の洗剤で倹約、炊事の時間の短縮、面倒くさがりやの人でも、洗うのが、楽しく成り、とうざかっていた、焼魚料理が復活します。  
複雑な焼網ではないので、製造コストが低価で済み、売上げ向上にもつながります。
【図面の簡単な説明】
【０００６】
【図１】本考案に係る、グリル焼網に脚をつけ、グリル受け皿に入れた、時の断面図である。
【図２】本考案のグリル焼網を、グリル受け皿に、ひっくり返しに入れ、水又は熱湯を入れた使用時の断面図である。
【図３】現行のグリル焼網を、グリル受け皿に上乗せしたタイプの断面図である。
【考案を実施するための形態】
【０００７】
図２  に示すように、グリル受け皿より、グリル焼網の四辺を、少し小さく設計し四隅に脚をつけて製作した。グリル焼網をひっくり返し、水又は熱湯を入れて、ほとびらかす目的のため、本考案の目的が達成される。
【符号の説明】
【０００８】
１  グリル焼網
２  グリル受皿
３  グリル焼網の脚
４  わずかな隙間
５  水又は熱湯
【図１】
0003190945.tif 000003
【図２】
0003190945.tif 000004
【図３】
0003190945.tif 000005
(57)【要約】      （修正有）【課題】保管・運搬のために箱詰め梱包した際に容積を小さく出来る組み立て式であって、容易に組立できるようにした長いすを提供する。【解決手段】座面より上部と座面下の脚部を分けて組み立て式にし、また脚部を左右の区別がつかない形態にすることによって、商品を箱詰め梱包した際の容積を小さくし、上部と脚部を組み立てる時に脚部の左右を間違えて組み立てないようにする。【選択図】図３
0003190934.tif 000002
【実用新案登録請求の範囲】
【請求項１】
左右の区別がない脚部を座面に組み付けることによって構成される長いす
【考案の詳細な説明】
【技術分野】
【０００１】
本考案は組み立て式で脚部が左右の区別ない長いすに関する。
【背景技術】
【０００２】
通常の長いすは座面と脚部がすでに組み付けてあるものであったり、組み立て式のもののなかには脚部が左右の区別があった。
【０００３】
従来、組立式長いすには参考文献１のように背もたれがなく、腰掛けることは出来ても背中をあずけてゆったり座ることは出来ない。また、背もたれがある長いすは非参考文献１のように脚に左右の区別があり取り付け間違いや組み立てに煩雑さがある。
【先行技術文献】
【特許文献】
【０００４】
【特許文献１】公開2012-522617
【非特許文献】
【０００５】
【非特許文献１】株式会社タカショー  TRD-042C  フウガベンチ組立説明書
【考案の概要】
【考案が解決しようとする課題】
【０００６】
本考案は、座面と脚部を組み立て式にすることにより箱詰めされた梱包の容積を小さくし、
脚部が前後左右の区別がないため組み立ての間違いもなくす長いすの開発。
【課題を解決するための手段】
【０００７】
上記目的を達成するために長いすの上部を裏返しにして脚部を取り付け、１台の長いすを構成する。
【考案の効果】
【０００８】
脚部が左右の区別がないことにより組み付ける際に
組み立て間違いをすることがない長いすである。
【図面の簡単な説明】
【０００９】
【図１】本考案を実施するための長いすの脚部
【図２】本考案を実施するための長いすの上部を裏返しにした図。
【図３】本考案を実施するために長いすの上部と脚部を組み付けている図。
【図４】本考案を実施されて構成された長いすの完成図
【考案を実施するための形態】
【００１０】
以下本考案の実施の形態を図に基づいて説明する。
【実施例】
【００１１】
図１の裏返した座面に図２の脚部を組み付ける。
【産業上の利用可能性】
【００１２】
本考案は長いすを製造する産業で利用される。
【図１】
0003190934.tif 000003
【図２】
0003190934.tif 000004
【図３】
0003190934.tif 000005
【図４】
0003190934.tif 000006
(57)【要約】      （修正有）【課題】最高速度標識に示された最高速度を上回る速度を出せないよう、外から制御する装置を提供する。【解決手段】最高速度標識から最高速度信号を発信し、自動車には、その信号を無線で受信する装置３を設け接続線４を介してアクセル５の下部から障害物６が突出しアクセルの踏み込みを制御し最高速度を制御する。【選択図】図２
0003190074.tif 000002
【実用新案登録請求の範囲】
【請求項１】
最高速度標識にその最高速度を自動車に認知させたい信号を発信できる装置を設け、前記装置から自動車に設けられた受信装置にむかって無線電波を介して発信し、前記自動車の受信装置はその信号を受け取り、最高速度を認知し、アクセルの下部の自動車の床からアクセルの踏み込みを邪魔する障害物が突出しアクセルを踏み込んでも最高速度を超えないことを特徴とする自動車運転で最高速度標識で規制された速度を上回る速度を出せないよう制御する装置
【考案の詳細な説明】
【技術分野】
【０００１】本考案は自動車の速度制限運転を外からの信号によって、制御する装置を提供するものである。
【考案の概要】
【考案が解決しようとする課題】
【０００３】  本考案は、狭い道路や温泉街に於いてゾーン３０など最高の速度制限がある場所にも拘らず速度超過をして悲惨な事故を起こす運転者が後を断たない現状を解決するために、外から制限をかけて、最高速度超過をできない装置を提供する。
【課題を解決するための手段】
【０００４】  本考案は、速度超過をすると特に危険なゾーン３０などの区域において、最高速度標識に無線信号を出す仕組みをつくる。自動車には、その信号を受け取る受信設備を設け、その信号を受けると、アクセル部分に障害物が出ることによって、思い切り踏み込んでも例えば時速３０キロメートル以上の速度が出なくなる。障害物の出方の程度により、速度の制御ができる装置である。
【考案の効果】
【０００５】  従来、温泉街や参道、商店街などのスピード制限は、運転者の遵法精神に頼るかそれができない場合、高額な費用をかけて迂回路の工事を行なうしかなかった。が、この装置を使用することにより、自動車の方でその場所での最高速度を感知してそれ以上のスピードを出せなくすることができ、高額な工事をしなくても、悲惨な事故を減らすことができる。
【図面の簡単な説明】
【０００６】
【図１】自動車の制限速度装置に信号を送る仕組みを組み込んだ最高速度標識
【図２】自動車に組み込まれた、標識からの速度制限信号を受け取る装置
【図３】自動車に組み込まれたアクセルの踏み込み程度を障害物が出ることによって制御し、それによって速度を制御する装置
【考案を実施するための形態】
【０００７】  ゾーン３０などの地域に入る、手前５キロくらいから、「これか５キロ進むと、最高速度３０キロのゾーン３０に入ります。」と自動車の車内に音声警告を出す装置をつける。
最高速度標識に自動車のアクセルの下側に障害物を出してアクセルの踏み込みに制御をかける信号を出す装置を組み込む。それとともに、自動車にその、標識から送られた信号を受け取る受信装置を設け、接続線を介してアクセルの踏み込みに制御をかける障害物がでる装置を提供する。
【実施例】
【０００８】  以下添付図に従って、一実施例を説明する。１は最高速度標識であり、自動車に最高速度であることを認識させる信号を発信するための発信機２を有する。【０００９】  ３は、自動車に取り付けられた受信装置であり、２の発信機から最高速度の信号が出された場合受信し、４の接続線を介してアクセルの下部から６の障害物を何キロの時はこのくらいの突出とあらかじめ決めておいた長さだけ突出させ、アクセルの踏み込みを邪魔することによって最高速度を制御する装置である。
【符号の説明】
【００１０】１  最高速度標識
２  最高速度標識に組み込まれた信号発信機
３  自動車に組み込まれた、２の信号発信機から発信された信号を受信する受信機
４  受信機とアクセルの下部から突出する障害物を結ぶ接続線
５  自動車のアクセル
６  アクセルの下部から突出する障害物
【図１】
0003190074.tif 000003
【図２】
0003190074.tif 000004
【図３】
0003190074.tif 000005
(57)【要約】      （修正有）【課題】熱可塑性硬質樹脂製容器内の液体を別に飲用用の容器を用意すること無く、礼儀を失せずに飲むことが出来たり、幼児でも飲みやすくし、又液体調味料や水薬の量設定が計量器を準備すること無く可能にする蓋とその容器を提供する。【解決手段】開栓時、蓋２の開口部がリング形状に切断される方式の熱可塑性硬質合成樹脂による容器１の蓋２を射出成形するとき、蓋２の開口部周囲に続けて半球体形状や円錐形状或いは曲面と直面を併せた形状のカップ９が付いた形状を併せて成形する。その時必要であれば、カップ９の周囲に計量用の刻みが入るように型に彫刻する。【選択図】図２
0003190079.tif 000002
【実用新案登録請求の範囲】
【請求項１】
開口部まで内外径の等しい円筒形状の蓋の開口部が開栓時に一定幅で切断されて容器本体に残る方式の蓋、容器共に熱可塑性硬質樹脂製の円筒形状容器に於いて蓋を容器に被せセットしたとき、切り離される蓋の開口部周囲から容器本体の肩口まで曲面形状又は平面形状或いは曲面形状と平面形状が共有する形状に延長させたカップ形状を形成させた蓋とその容器。
【考案の詳細な説明】
【技術分野】
【０００１】  本考案は、熱可塑性硬質樹脂製のカップ形状を伴う蓋のある容器に関する。
【背景技術】
【０００２】  従来、蓋を開けるとき、蓋の開口部周囲が一定の幅に切断されてリング形状に容器本体に残る方式の熱可塑性硬質樹脂製の蓋付きの容器はあった。
【考案の概要】
【考案が解決しようとする課題】
【０００３】  本考案は、従来からある背景技術記載の容器に於いて、開けた蓋の開口部の周囲にカップ形状を形成させて、それを利用する者の便宜を計るものである。
【課題を解決するための手段】
【０００４】  従来からある開栓時に蓋の開口部が切断されて容器本体にリング形状体が残る方式の客器に於いては、リング形状体の上下の直径が大きさが異なるため射出成形法でカップ付きの蓋を成形することが出来ない。【０００５】  蓋を開栓する時にリング形状に切断されて容器本体に残るカップ付きの蓋を熱可塑性樹脂製で製造するには、切断されて容器本体に残る開口部の周囲をその上下共に等しい大きさにすることが要件となる。【０００６】  即ち硬質熱可塑性樹脂製のカップ付きの蓋を射出成形法によって製造するには、開栓時に容器本体に残るリングの上下の内外径を等しくすることによって可能となる。
【考案の効果】
【０００７】  本考案によって小児が本種類の容器の飲料を飲むときの飲み難さが解消される。【０００８】  会議など改まった場に於いて提供する熱可塑性硬質樹脂製の容器に入った飲料を飲む場合に別に飲用容器を用意すること無く、容器の蓋に付いた容器をそのまま利用することが出来る。【０００９】  横に目盛りを付けた容器付きの蓋として利用することによって、別に計量器を用意すること無く調味料の量設定が確実に、又容易にそして早く出来る。【００１０】  水薬の飲用量の設定にも重宝に利用出来る。
【図面の簡単な説明】
【００１１】
【図１】本考案に係る曲側面形状カップの付いた蓋のある容器の正面図並びに側面図である。
【図２】本考案に係る曲側面形状カップの付いた蓋のある容器の縦断面図である。
【図３】本考案に係る直側面形状カップの付いた蓋のある容器の正面図である。
【図４】本考案に係る直側面形状カップの付いた蓋のある容器の縦断面図である。
【図５】本考案に係る曲側面形状と直側面形状を共有するカップの付いた蓋のある容器の正面図である。
【図６】本考案に於いて射出成形方法による縦断面が曲面形状のカップ付き蓋の成形型の縦断面図である。
【考案を実施するための形態】
【００１２】  図１は従来からある硬質熱可塑性樹脂製の容器の蓋を捩じって開栓するとき、頂面３と側面４からなる蓋２の開口部が図２の切断線７で一定幅を持つ輪形状の蓋開口部リング帯６として切断されて容器本体５に残る方式の水様性液体容器１に関する本出願の正面図であり、図２はそのＡ−Ａ´縦断面図である。
【００１３】  図２に於いて、本出願の容器に於ける蓋２を開栓するとき、蓋２の開口部は一定幅のリング帯６として容器本体５に残るが蓋２の開口部の上下の直径は同じ大きさであることが必須要件となる。
【００１４】  図６はその曲面形状のカップ９を伴う蓋２の射出成形法型の縦断面図であるが、本件容器の蓋の開口時に切断されて本体にリング状に残る蓋の開口周囲部即ちリング帯６の幅が等しく、又その上下の開口径が同じ大きさで、成形型の開閉方向と平行でなければならないことが理解出来る。尚図の→、←は成形金型の移動方向である。尚１２はカップ付き蓋の成形用溶融樹脂の注入孔である。又図６の曲面形状のカップ９の付いた蓋２の成形型の蓋２内部側面の螺旋形状突起８の形成構造図は省略してある。
【００１５】  図３図４は蓋２の開口部に形成されるカップ形状が平面である正面図並びにその縦断面図である。
【００１６】  図５は蓋２の開口部に形成されるカップ形状が曲面形状と平面形状を合せ持つ形状１１のとする飲用容器１の斜視図である。
【符号の説明】
【００１７】１  容器                    ７  蓋の開口切断線
２  蓋                      ８  蓋の内部側面の螺旋状突起
３  蓋の頂面                ９  曲面形状のカップ
４  蓋の側面              １０  平面形状のカップ
５  容器本体              １１  曲面形状と直面形状を合せ持つカップ
６  蓋開口部リング帯      １２  カップ付き蓋を成形する溶融樹脂の注入孔
【図１】
0003190079.tif 000003
【図２】
0003190079.tif 000004
【図３】
0003190079.tif 000005
【図４】
0003190079.tif 000006
【図５】
0003190079.tif 000007
【図６】
0003190079.tif 000008
(57)【要約】      （修正有）【課題】汁気のない菓子や料理などの食品を、収納、保存、携帯することを想定した上下に開口部を有する容器であり、底、天井の両方に蓋が付いて開閉できる事で、収納をスムーズにする食品保存容器を提供する。【解決手段】上下面に開口部を有する、側面部２と上下開口部に嵌め合わさる上蓋１と底蓋４からなる収納容器で、この収納容器内部に食品を切り分けるためのカッティングボード３を内蔵したことを特徴とする。【選択図】図１
0003190077.tif 000002
【実用新案登録請求の範囲】
【請求項１】
上下面に開口部を有する、側面部と上下開口部に嵌め合わさる上蓋と底蓋からなる収納容器で、この収納容器内部に食品を切り分けるためのカッティングボードを内蔵したことを特徴とする。
【考案の詳細な説明】
【技術分野】
【０００１】  本考案は、汁気のない菓子や料理などの食品を、収納、保存、携帯することを想定した上下に開口部を有する容器であり、底、天井の両方に蓋が付いて開閉できる事で、収納をスムーズにするものである。また、カッティングボードを内蔵することで、まな板等に移さなくても収納したケーキなどの食品を切り分けることが出来、ホームパーティーにタルトやキッシュやチーズケーキなどの食品を持参する時にも重宝するものである。
【背景技術】
【０００２】  従来、食品を保存するプラスチック容器は蓋が一方向だけに付いている物で、液体を伴った内容物を想定したものであった。また、この蓋をとっただけでその場で切り分ける事には不都合があった。
【考案の概要】
【考案が解決しようとする課題】
【０００３】  これまで、ケーキ類などの食品に適した容器がなかった。タルトやチーズケーキやキッシュを作ってホームパーティーに持参する際、既に市販されている円形の深さ１２センチ程度の容器を逆さにして使うことが多く、これでは高さが無駄にあり、切り分ける際もまな板等に移す必要があり、面倒だった。また、下に敷くケーキ用台紙を購入する必要があり、これは入手場所も限られ意外と高価で使い捨てのため、容器に収納できる薄型でかつずっと使えるカッティングボードの内蔵が求められていた。また片方しか蓋が外れない従来の容器は収納時に内容物を破損する危険性があり、作り立ての熱々の時に蓋を外しておくことが出来なかった。また、冷蔵庫に入れる時には、ケーキを大きすぎる容器に入れればかさばって場所をとり、お皿に乗せてラップをすればその上に物を置く事は出来なかった。本考案は以上の問題点を解決するためになされたものである。
【課題を解決するための手段】
【０００４】  上下面に開口部を有する、側面部と上下開口部に嵌め合わさる上蓋と底蓋からなる収納容器で、この収納容器内部に食品を切り分けるためのカッティングボードを内蔵したことを特徴とする。タルト類などの汁気のないケーキ類等の収納を想定した食品保存容器で、上下に蓋が付いて開閉できる。内蔵のカッティングボードと蓋部分は密着していない。形はタルト、キッシュ等が収容できる円盤のような大きさ、ホールケーキなどが収まる円筒形、ハート形ケーキが収まる高さのあるハート形、パウンドケーキが収まるパウンド型など様々な形状が想定できる。
【考案の効果】
【０００５】  菓子や料理（タルト、キッシュ、チーズケーキ、ホールケーキ、パウンドケーキ、ハート型ケーキなど）を作った時に、それぞれの形状に見合った形の容器で冷蔵庫内にコンパクトにスムーズに収納でき、持ち運びや切り分けにも便利で、作り立て時には蒸気を逃がすために上蓋を外しておくことが出来る。
【図面の簡単な説明】
【０００６】
【図１】本考案のタルト型収納容器の実施状態を示す斜視図
【図２】本考案のホールケーキ型収納容器の実施状態を示す斜視図
【図３】本考案の（ａ）パウンドケーキ型収納容器  （ｂ）角形ケーキ型収納容器の実施状態を示す斜視図
【図４】本考案のハートケーキ型収納容器の実施状態を示す斜視図
【考案を実施するための形態】
【０００７】  以下、本考案の実施の形態を説明する。
上下面に開口部を有する、側面部と上下開口部に嵌め合わさる上蓋と底蓋からなる収納容器で、この収納容器内部に食品を切り分けるためのカッティングボードを内蔵したことを特徴とする。タルト類などの汁気のないケーキ類等の収納を想定した食品保存容器で、上下に蓋が付いて開閉できる。内蔵のカッティングボードと蓋部分は密着していない。形はタルト、キッシュ等が収容できる円盤のような大きさ、ホールケーキなどが収まる円筒形、ハート形ケーキが収まる高さのあるハート形、パウンドケーキが収まるパウンド型など様々な形状が想定できる。
本考案を使用する際の推奨される使い方は、まずカッティングボードの上にケーキを乗せ、これを底蓋の上に置く。この後、側面部をはめ込む。焼きたての熱い時には上蓋をしばらく外したままにしておく。上蓋を外したままでも保冷バッグなどに入れて持ち歩くことが出来る。冷蔵庫などに収納保存する時や携帯する時は上蓋を閉める。
【符号の説明】
【０００８】  １）上蓋、２）側面部、３）カッティングボード、４）底蓋
【図１】
0003190077.tif 000003
【図２】
0003190077.tif 000004
【図３】
0003190077.tif 000005
【図４】
0003190077.tif 000006
(57)【要約】      （修正有）【課題】強烈に暴れ抵抗する被疑者の制圧や多人数の被疑者の身柄拘束が可能となる手錠を提供する。【解決手段】手首に装着し固定するリング部が３輪で一体となる事を特徴とした手錠であって、この３リング型手錠を使用することにより、強烈に暴れ抵抗する被疑者に対して、また多人数の一時的な身柄拘束の場合や被疑者同行の現場検証や取り調べの移動時に、被疑者の安全と逃走事故の防止を図ることが可能となる。【選択図】図２
0003190076.tif 000002
【実用新案登録請求の範囲】
【請求項１】
手首に装着し固定するリング部が３輪で一体となる事を特徴とした手錠。
【考案の詳細な説明】
【技術分野】
【０００１】  本考案は、警察官等が職務執行に使用する手錠に関するものである。
【背景技術】
【０００２】  従来、警察官等が使用している手錠は手首に装着し固定するリング部は２輪である。（図１参照）
【考案の開示】
【考案が解決しようとする課題】
【０００３】  しかし、これでは一時的かつ緊急時に於いて多人数の身柄拘束や、強烈に暴れ抵抗する被疑者の身柄拘束活動に限界があり逃走や警察官の受傷事故の原因となっている。
更に取り調べや実況見分等揚所の移動を伴う場合、手錠と腰縄の併用の取扱いが旧式かつ複雑であり、警察官がその取扱いに手間取る隙をつく逃走事故が多発している。
【課題を解決する為の手段】
【０００４】  そこで、手首に装着固定するリング部を３輪にする事により簡易かつ機能的な使用が可能になるものである。（図３参照）
【考案の効果】
【０００５】  よって、本考案の３リング型手錠を使用する事により
１．強烈に暴れ抵抗する被疑者に対して、
被疑者の両手に２輪使用し、残る１輪を「後ろ側手錠」の場合、ズボンの背中側ベルトにロックする。
「前側手錠」の場合、ベルトを前後逆にして腹側のベルトにロックする事によりその抵抗はかなり抑制され、逃走や受傷事故防止が図れる。
２．多人数の一時的な身柄拘束が切迫した場合、
１個の手錠で最大３人の被疑者を拘束する事が可能になる、即ち１人の警察官で３人が拘束できる。
集団犯罪や暴動など緊急事案発生時にも一時的に多人数の検挙や鎮圧が可能となる。（図３参照）
３．被疑者同行の現場検証や取り調べ等の移動時、その拘束手段は被疑者の安全と逃走防止の両面を考慮し様々と変化する。
これらの事から新任や経験の少ない警察官にでも、本考案の３リング型手錠の機能を生かし、手錠と腰縄の脱着や腹部周りのサイズ調整も容易に出来る事から被疑者の安全と逃走事故の防止が図れる。（図３参照）
【考案を実施する為の最良の形態】
【０００６】  本考案に係る３リング型手錠は、構造的には従来の２リング型手錠に１リング追加したものであり、その製造方法に問題は無く必要に応じ量産も可能である。（図２参照）
素材は携行する警察官等の負担を軽減する為、強度の備わった軽量な金属等にするのが望ましい。
【図面の簡単な説明】
【０００７】
【図１】従来の２リング型手錠である。
【図２】本考案の３リング型手錠である。
【図３】（１）３リング型手錠で２人の被疑者を固定物にロックした図である。（２）３リング型手錠で３人の被疑者を拘束した図である。（３）操作が簡易な腰ベルトと３リング型手錠をセットした図である。
【符号の説明】
【０００８】Ａ  接続金具
Ｂ  固定湾曲部
Ｃ  可動湾曲部
Ｄ  ３リング型手錠
Ｅ  被疑者
Ｆ  長さ調節バックル
Ｇ  捕縄
Ｈ  ベルト
【図１】
0003190076.tif 000003
【図２】
0003190076.tif 000004
【図３】
0003190076.tif 000005
(57)【要約】      （修正有）【課題】風味保持を図ると共に、簡単に適量の味噌、ペースト状食品等を、手や衣服等を汚さないで取り出すことの出来る味噌、ペースト状食品等の容器を提供する。【解決手段】味噌、ペースト状食品等の容器本体１は吐出口５を有した螺旋シリンダー２、吐出口５を開閉する螺旋キャップ３と、容器内に充填した味噌、ペースト状食品等を吐出させるための螺旋ローター４には、回転動作を要するので螺旋ローターレバー８を具備し、螺旋シリンダー２には吐出口５方向へ螺旋状に条溝部６を成形し、螺旋キャップ３は吐出口５に合致させて螺旋シリンダー２の条溝部６に嵌合させて吐出口５の開閉可能に螺旋キャップレバー７を有して成形する、螺旋シリンダー２の吐出口５を螺旋キャップ３で閉じてから、螺旋シリンダー２内へ螺旋ローター４の嵌合内設するための空間を設けて味噌、ペースト状食品等を充填し、その後螺旋ローター４を嵌合して構成する。【選択図】図１
0003190078.tif 000002
【実用新案登録請求の範囲】
【請求項１】
味噌、ペースト状食品等の容器本体１は螺旋シリンダー２と螺旋キャップ３および螺旋ローター４からなる機構を有し、味噌、ペースト状食品等を充填する螺旋シリンダー２には吐出口５および螺旋ローター４を誘導させるための条溝部６を設ける、螺旋キャップ３には回転動作用の螺旋キャップレバー７を設け、螺旋ローター４には条溝部６に合致させて嵌合し回転動作用の螺旋ローターレバー８を具備させておき、実施には螺旋シリンダー２の吐出口５を螺旋キャップ３で閉じてから、味噌、ペースト状食品等を適当量充填し螺旋ローター４を嵌合することで密閉状態を良好に保つことが出来ると共に、調理の際は螺旋ローターレバー８の回転動作によって、必要量を吐出できる特徴を有した味噌、ペースト状食品等の容器。
【考案の詳細な説明】
【技術分野】
【０００１】  調理のため、開封してから使い切るまで充分な密閉状態を保てる、味噌・ペースト状食料品等の容器に関するものである。
【背景技術】
【０００２】  従来、味噌、ペースト状食品等の容器は樽・袋・升状容器詰めで販売されているのが実態である、調理の際はその都度容器からスプーン等で取り出して使い、容器開口部を閉じるのであるが残存味噌、ペースト状食品等の表面と開口部との間に隙間を生じ、常時空気に触れる状態となり変色と、著しく風味を損なう等の欠点があった。
【考案の概要】
【考案が解決しようとする課題】
【０００３】  樽・袋・升状容器から都度適量味噌、ペースト状食品等の取り出しと、開口部を閉じる動作は日頃慣れている調理職人でも煩わしいと嘆いており、手や衣服を汚すことも度々あるのが実態である、そこで、密封状態を維持し容器内の残存味噌、ペースト状食品等の風味保持を図ると共に、調理の都度簡単に適量の味噌、ペースト状食品等を、手や衣服等を汚さないで取り出すことの出来る本考案による、味噌・ペースト状食料品等の容器で欠点の解決をしようとするものである。
【課題を解決するための手段】
【０００４】  本考案による、味噌、ペースト状食品等の容器本体は、吐出口を有した螺旋シリンダー、吐出口を開閉する螺旋キャップと、容器内に充填した味噌、ペースト状食品等を吐出させるための螺旋ローター、前記螺旋ローターには回転動作を要するので螺旋ローターレバーを具備しており、螺旋シリンダーには吐出口方向へ螺旋状に条溝部を成形し、螺旋キャップは吐出口に合致させて螺旋シリンダーの条溝部に嵌合させて吐出口の開閉用に螺旋キャップレバーを有して成形する。螺旋シリンダーの吐出口を螺旋キャップで閉じてから、螺旋シリンダー内へ螺旋ローターの嵌合内設するための空間を設けて味噌、ペースト状食品等を充填し、その後螺旋ローターを嵌合して構成した味噌、ペースト状食品等の容器。
【考案の効果】
【０００５】  本考案は、螺旋シリンダー内に充填した味噌、ペースト状食品等を螺旋ローターに具備した、螺旋ローターレバーの回転動作による圧力で吐出口から希望量を得ることを可能とした容器。
螺旋ローターは充填された味噌、ペースト状食品を使い切るまで接触しており、螺旋キャップで吐出口を閉じることで密封状態を保ち、変色することなく新鮮で良好な風味を持続可能とし調理の際は、螺旋ローターレバーの回転動作と螺旋キャップの螺旋キャップレバーによる吐出口の開閉動作のみであるから、手の汚れ、衣服等汚れを防止可能にした特徴を有する味噌、ペースト状食品の容器。
【図面の簡単な説明】
【０００６】
【図１】  本考案の味噌、ペースト状食品等の容器本体の断面図
【図２】  螺旋ローターの斜視図である
【図３】  螺旋シリンダーの斜視図である
【図４】  螺旋キャップの斜視図である
【考案を実施するための形態】
【０００７】  味噌、ペースト状食品等の容器本体１は螺旋シリンダー２と螺旋ローター４および、螺旋キャップ３によって構成され、螺旋シリンダー２には、吐出口５とそれに向かって螺旋状に条溝部６を具備させる、この螺旋シリンダー２の吐出口５を螺旋キャップ３により閉鎖して、味噌、ペースト状食品等を充填、それを吐出させる螺旋ローター４を嵌合させ螺旋ローターレバー８の回転動作によって充填した味噌、ペースト状食品等を調理の都度、必要量を吐出できる機能を有した味噌、ペースト状食品等の容器。
【実施例】
【０００８】  以下添付図面に従って実施例を説明する、軽金属、合成樹脂、等適宜の素材を用い、味噌、ペースト状食品等の容器本体１を成形する、螺旋シリンダー２には吐出口５と内壁より内部に突き出す状態の条溝部６を吐出口５の方向に螺旋状に設ける。【０００９】  螺旋シリンダー２内に充填した味噌、ペースト状食品等を、調理の都度必要量押し圧により吐出させるための、螺旋ローター４を条溝部６に嵌合するように成形し、この螺旋ローター４には条溝部６に沿って回転動作を行なうための、螺旋ローターレバー８を設ける。【００１０】  螺旋シリンダー２に設けた吐出口５の開閉は、螺旋キャップ３により行なうのであるが、螺旋シリンダー２の条溝部６外壁に嵌合させて、螺旋キャップレバー７の回転動作によって行なう事が出来るようにしたことを特徴とした味噌、ペースト状食品等の容器。
【符号の説明】
【００１１】１  味噌、ペースト状食品等の容器本体
２  螺旋シリンダー
３  螺旋キャップ
４  螺旋ローター
５  吐出口
６  条溝部
７  螺旋キャップレバー
８  螺旋ローターレバー
【図１】
0003190078.tif 000003
【図２】
0003190078.tif 000004
【図３】
0003190078.tif 000005
【図４】
0003190078.tif 000006
(57)【要約】      （修正有）【課題】医療現場にて対象者の関節角度を計測する際、計測者は対象者の体幹や四肢を支えながらも関節角度計の回転する金属の腕を手ネジ操作にて片手で固定することが出来、また金属の回転する腕に開いたのぞき孔によって測りなおしを防ぎ、素早く正確に対象者の関節角度を計測することが可能となる角度固定式金属製医療用関節角度計を提供する。【解決手段】関節角度計の２本の腕１，３を固定する為の手ネジ７と、固定しながらも微調整する為の調整力を生むハの字型ワッシャー８と、半円状の角度計２と、回転する金属の腕１が重なった状態でも目盛４を読むことの出来る、回転する金属１の腕に開いたのぞき孔５で構成される。対象者の関節角度の測定時に計測を容易かつ迅速にし、対象者および計測者両方の負担を軽減できるものとした。【選択図】図２
0003190067.tif 000002
【実用新案登録請求の範囲】
【請求項１】
半円状の角度計の０度と１８０度を結んだ線下に固定された金属の腕と、角度計の中心を軸に３６０度回転する金属の腕と、回転する金属の腕の先にある半円状の角度計の数値を読む為の鉤状の切れ込みに引いた目盛と、回転する金属の腕の幅の中心に開けた半円状の角度計の数値を読む為ののぞき孔と、のぞき孔の両脇にひかれた角度計の目盛を合わせる為の目盛と、回転する金属の腕を扇状に広げた状態で固定して数値を読む為の半円状の角度計の中心の軸に装備した手ネジと、回転する金属の腕を扇状に広げた状態で固定しながらも角度を微調整するためのハの字型ワッシャーとで成したことを特徴とする角度固定式金属製医療用関節角度計。
【考案の詳細な説明】
【技術分野】
【０００１】  本考案は半円状の角度計の中心に装備した手ネジおよびハの字型ワッシャーにより、医療現場における対象者の関節の角度を計測する際に角度計の回転する金属の腕を固定しながらも微調整することができ、また回転する金属の腕に開けたのぞき孔により３６０度全域での計測を可能としたため、関節角度計測時に対象者および計測者の負担軽減に貢献する医療用関節角度計に関するものである。
【背景技術】
【０００２】  従来からの医療用関節角度計は、対象者の関節の角度を計測する際、関節角度計の回転する腕を固定できずに不便であった。【０００３】  従来からの医療用関節角度計は、対象者の関節の角度を計測する際、１８０度以上では回転する腕を回して角度計の数値を読み取ることができずに、計測しなおしが起こるなど不便であった。
【考案が解決しようとする課題】
【０００４】  本考案は医療現場における対象者の関節の角度を計測する際、角度計の中心に装備した手ネジを操作して回転する金属の腕の固定が容易にできることから、正確に関節の角度の計測ができるものとした。
【０００５】  本考案は医療現場における対象者の関節の角度を計測する際、関節角度計の回転する金属の腕を右回り、左回りどちらに回しても３６０度全域で角度を計測できることから、計測しなおしを減らし、関節角度計測時における対象者の負担軽減を可能とした。
【課題を解決するための手段】
【０００６】  本発明は上記の課題を解決する為に、角度計の回転する金属の腕を固定する為の手ネジと、その角度を微調整するためのハの字型ワッシャーと、計測用の目盛のついた回転する金属の腕に半円状の角度計の数値を読む為ののぞき孔を開けることにより、３６０度全域で角度が計測できるように構成され、正確にかつ計測しなおしがなく関節の角度を計測できるものとした。
【考案の効果】
【０００７】  医療現場において対象者の関節の角度を計測する際、計測者は対象者の体幹や四肢を支持しなくてはならず、関節角度計を計測部位に当てて計測する際、片手での操作を余儀無くされることがある。本考案の関節角度計は回転する金属の腕を固定して数値を読み取ることができるので、計測中に角度がずれてしまうことが無くなり、回転する金属の腕に開けたのぞき孔により計測しなおしも無くなり、対象者および計測者の負担を軽減することができる。
【考案を実施するための最良の形態】
【０００８】  以下本考案の形態を示す図面に基づき説明する。【０００９】  図１に示す如く、回転する金属の腕と、角度計に固定された金属の腕を重ね、持ち運び状態の正面図。【００１０】  図２に示す如く、回転する金属の腕を回して鉤状の切れ込みについた目盛で、半円状の角度計の数値を読み取ることが可能な状態の正面図。【００１１】  図３に示す如く、回転する金属の腕を１８０度以上回した位置でも、腕に開けたのぞき孔により半円状の角度計の数値を読み取ることが可能な状態の正面図。【００１２】  図４に示す如く、回転する金属の腕の先にある鉤状の切れ込みについた目盛が、半円状の角度計の目盛を指すことを示した図。【００１３】  図５に示す如く、回転する金属の腕に開けたのぞき孔より、半円状の角度計の数値を読み取ることが可能なことを示した図。【００１４】  図６に示す如く、半円状の角度計の軸の中心に、回転する金属の腕を固定するための手ネジと、固定した状態でも角度を微調整するためのハの字型ワッシャーを装備した構造を示した側面図。【００１５】  図７に示す如く、半円状の角度計の軸の中心に装備した手ネジがハの字型ワッシャーを挟み込み、微調整が可能な固定力を生み出すことができる構造を示した断面図。
【図面の簡単な説明】
【００１６】
【図１】回転する金属の腕を、固定された金属の腕に重ねた状態。
【図２】回転する金属の腕を、３０度左回りに回転し、固定した状態。
【図３】回転する金属の腕を、１２０度右回りに回転し、固定した状態。
【図４】回転する金属の腕の先にある鉤状の切れ込みについた目盛が、角度計の左回りに４５度を指している状態。
【図５】回転する金属の腕に開いたのぞき孔の両脇にひかれた目盛が、角度計の右回りに１４０度を指している状態。
【図６】手ネジ、ハの字型ワッシャー、回転する金属の腕、半円状の角度計、固定された金属の腕が重なった状態。
【図７】手ネジ、ハの字型ワッシャー、回転する金属の腕、半円状の角度計、固定された金属の腕が重なった状態の断面図。
【符号の説明】
【００１７】１  回転する金属の腕。
２  半円状の角度計。
３  半円状の角度計に固定された金属の腕。
４  回転する金属の腕の先にある、鉤状の切れ込みに引いた、角度計の数値を読む為の目盛。
５  回転する金属の腕の幅の中心に開けた、角度計の数値を読む為ののぞき孔。
６  回転する金属の腕に開けたのぞき孔の両脇にひいた、角度計の目盛を合わせる為の目盛。
７  回転する金属の腕を固定する為の手ネジ。
８  回転する金属の腕を固定しながらも微調整するためのハの字型ワッシャー。
９  手ネジの内側に切られた軸を締めこむためのネジ溝。
１０  半円状の角度計の軸の中心に装備された、手ネジを締めこむためのネジ。
【図１】
0003190067.tif 000003
【図２】
0003190067.tif 000004
【図３】
0003190067.tif 000005
【図４】
0003190067.tif 000006
【図５】
0003190067.tif 000007
【図６】
0003190067.tif 000008
【図７】
0003190067.tif 000009
(57)【要約】      （修正有）【課題】従来の帽子のゴムの場所では、運動や強風などにより帽子との間にずれが生じ、結果帽子がとぶ恐れがあり、また、首の左右方向にわたるゴム付き帽子では、ファッション度が低くなり、汗などによる肌のかぶれ等がおこったりすることがあった。以上の課題を解決するゴム付き帽子を提供する。【解決手段】帽子本体１の内側に髪どめのためのゴム２を設ける。そのゴム２は例えば、円状に設けられた形状のものであり、髪を束ねるゴム２と同じように髪に結んで固定できる。【選択図】図１
0003190068.tif 000002
【実用新案登録請求の範囲】
【請求項１】
内側に髪どめのためのゴムを付けてあり、このゴムで髪を結ぶことで、帽子を固定できることを特徴とする髪どめのためのゴム付き帽子。
【請求項２】
前記ゴムは、円状に設けてあるため髪を束ねるゴムと同じように結べることを特徴とする請求項１記載の髪どめのためのゴム付き帽子。
【考案の詳細な説明】
【技術分野】
【０００１】  この考案は、帽子内側にあるゴムの取り付ける場所に関する。
【背景技術】
【０００２】  従来の帽子内側にあるゴムの取り付ける場所は、図２に示すように、帽子本体１の内側にゴム２が設けられたものである。
【先行技術文献】
【特許文献】
【０００３】
【特許文献１】特開２００１−２６２４１９号公報
【考案の概要】
【考案が解決しようとする課題】
【０００４】  しかしながら、以上の技術によれば、運動などにより帽子との間にずれが生じ、結果帽子がとぶ恐れがある。また、従来のゴムの場所では首周辺にゴムがわたるため、ゴムを強くしめられなかった。
そこで、この考案は、内側で髪どめのためのゴムにより固定できる帽子を提供することを課題とする。
【課題を解決するための手段】
【０００５】  以上の課題を解決するために、第一考案は、帽子の内側に髪どめのためのゴムを付けてあり、このゴムで髪を結ぶことで帽子を固定できることを特徴とする髪どめのためのゴム付き帽子である。
また、第二考案は、帽子の内側にゴムを設け、このゴムが円状であることで髪を束ねるゴムと同じように結べることを特徴とする髪どめのためのゴム付き帽子である。
【考案の効果】
【０００６】  第一考案、または第二考案によれば、帽子に髪どめのためのゴムを付けたことにより、帽子を髪ごと固定できる。さらにゴムは円状に設けられているため、髪を束ねるゴムのように強くしめられるので運動や強風などにより動きがみられても、帽子がとぶ恐れがない。
【図面の簡単な説明】
【０００７】
【図１】この考案の一実施形態を示した斜視図である。
【図２】従来技術を示した斜視図である。
【考案を実施するための形態】
【０００８】  この考案の一実施形態を、図１に示す。
髪どめのためのゴム付き帽子本体１の内側には髪どめのためのゴム２が一体的に設けられており、髪を結ぶことで帽子を固定できる。このゴムは円状に設けてあり、髪を束ねるゴムと同じように結べる。
【実施例】
【０００９】  この実施形態によれば、髪どめのためのゴム２の働きで、帽子を髪ごと固定することができ、さらにゴムを強くしめられるので帽子がとびにくいという実施形態の効果がみられる。首の左右方向にゴムが通るように設けると、ファッション度が低くなる場合があるため、ゴム等とめ具のない帽子を使用し手でおさえ気にしながら活動することにもなりうるが、この髪どめのためのゴム付き帽子は、ゴムが円状に設けてあるのでそのまま帽子ごと髪を束ね固定することができ両手を自由に使える。また、首の周辺にゴムが通るように設けられている状況で起こりがちな、汗などによる肌のかぶれ等も防止できる。
図１の実施形態では、髪どめのためのゴム２は後部に設けられているが、他の実施形態では、髪どめのためのゴムは横など他の部分に、または複数設けたものでも良い。
【符号の説明】
【００１０】  １  帽子本体
２  ゴム
【図１】
0003190068.tif 000003
【図２】
0003190068.tif 000004
(57)【要約】      （修正有）【議題】設置面積が小さくて大きな出力を得ることのできる熱磁気エンジンを提供する。【解決手段】磁石２を支持体４に固定し、感温磁性材料を装着した環状軌道３あるいは感温磁性材料で形成した環状軌道３を磁場中に通した熱磁気エンジン複数台縦列で多段に配置し、複数台の熱磁気エンジンの回転を伝達する回転伝導具１０を熱磁気エンジン毎に具備し、回転伝導具１０と連結して回転を外部に伝達する回転軸９を具備した縦列多段の熱磁気エンジン。【選択図】図１
0003190065.tif 000002
【実用新案登録請求の範囲】
【請求項１】
磁石を支持体に固定し、感温磁性材料を装着した環状軌道あるいは感温磁性材料で形成した環状軌道を磁場中に通した熱磁気エンジン複数台を縦列で多段に配置し、複数台の熱磁気エンジンの回転を伝達する回転伝導具を磁性体エンジン毎に具備し、回転伝導具と連結して回転を外部に伝達する回転軸を具備した縦列多段の熱磁気エンジン。
【考案の詳細な説明】
【技術分野】
【０００１】  本考案は、感温磁性材料を用いた熱磁気エンジンで設置面積が小さくて大きな出力を得ることができる縦列多段の熱磁気エンジンに関するものである。
【背景技術】
【０００２】  従来、感温磁性材料を用いた熱磁気エンジンが発明されているが、小さい設置面積で大きな出力を得ることは難しかった。【０００３】
【特許文献１】特開平６−１４１５７２（磁性体エンジン）
【特許文献２】特開平９−２６８９６８（熱磁気エンジン）
【考案の開示】
【考案が解決しようとする課題】
【０００４】  本考案は、従来の課題を解決し、設置面積が小さくて大きな出力が得られる熱磁気エンジンを提供する目的からなされたものである。【０００５】  上記の課題を解決する本考案は、以下の通りである。
磁石を支持体に固定し、感温磁性材料を装着した環状軌道あるいは感温磁性材料で形成した環状軌道を磁場中を通した熱磁気エンジン複数台を縦列で多段に配置し、個別の熱磁気エンジンの回転を伝達する回転伝導具を熱磁気エンジン毎に具備し、回転伝導具と連結して回転を外部に伝達する回転軸を具備した縦列多段の熱磁気エンジン。
【考案の効果】
【０００６】  本考案は、動作原理上１台だけで大出力を得ることが難しい熱磁気エンジンにおいて、複数個の熱磁気エンジンを縦列に多段に配列して連動することによって、設置する床面積が少ないながらも大出力が得られる縦列多段の熱磁気エンジンを考案できたものである。【０００７】  現在、感温フェライトやＦｅ−Ｎｉ、Ｆｅ−Ｎｉ−Ｃｒ等の感温磁性材料が生産されており、近年更に磁気特性の優れたＭｎＡｓ、ＭｎＦｅ等の感温磁性材料が開発されているので、これらの素材を用いると１００度Ｃ以下の熱源で駆動する熱磁気エンジンを作ることができ、本考案の縦列多段の熱磁気エンジンは、実用的な大出力を得ることができるのでエネルギーと環境保全上極めて有益なものである。
【考案を実施するための最良の形態】
【０００８】  以下、本考案の実施の形態について図をもって説明する。
図１は本考案実施例の縦列多段の熱磁気エンジンの正面図で、磁石２を支持体４に固定し、感温磁性材料を装着した環状軌道３を磁場中に通した熱磁気エンジン複数台を縦列で多段に配置し、個別の熱磁気エンジンの回転軸９と回転を外部に伝達する回転軸１に回転伝導具１０としてプーリーを取付け、この間の連結の回転伝導具１０としてベルトを用いた実施例である。【０００９】  実施における回転伝導具１０としては、歯車の組合せやスプロケットとチェーンの組合せあるいはローラー等を用いることもできる。【００１０】  本実施例は段数を３段とした実施例であるが、実施においては個別の熱磁気エンジンの個数と段数は出力に応じて任意とすることができる。【００１１】  図２は、本考案の他の実施例の正面図で、より大きな出力を得るために、１段に３台の熱磁気エンジンを配置し、これを３段にした実施例で、図３はその平面配置図である。【００１２】  本考案は、個別の熱磁気エンジンを効率よく配置し、ベルト等の回転伝導具１０を用いて回転軸１に連結して連動することを特長とするもので、各構成部品が各々独立しているので保守が容易である利点がある。
【図面の簡単な説明】
【００１３】
【図１】  本考案の縦列多段の熱磁気エンジンの正面図である。
【図２】  本考案の他の実施例の縦列多段の熱磁気エンジンの正面図である。
【図３】  本考案の他の実施例の縦列多段の熱磁気エンジンの平面配置図である。
【符号の説明】
【００１４】  １…回転軸
２…磁石
３…感温磁性材料を装着した環状軌道あるいは感温磁性材料で形成した環状軌道
４…支持体
５…加熱、冷却熱源導入口
６…加熱、冷却熱源出口
７…軸受
８…磁石固定板
９…個別の熱磁気エンジンの回転軸
１０…回転伝導具
【図１】
0003190065.tif 000003
【図２】
0003190065.tif 000004
【図３】
0003190065.tif 000005
【手続補正書】
【提出日】平成25年12月6日(2013.12.6)
【手続補正１】
【補正対象書類名】実用新案登録請求の範囲
【補正対象項目名】全文
【補正方法】変更
【補正の内容】
【実用新案登録請求の範囲】
【請求項１】
磁石を支持体に固定し、感温磁性材料を装着した環状軌道あるいは感温磁性材料で形成した環状軌道を磁場中に通した熱磁気エンジン複数台を縦列で多段に配置し、複数台の熱磁気エンジンの回転を伝達する回転伝導具を熱磁気エンジン毎に具備し、回転伝導具と連結して回転を外部に伝達する回転軸を具備した縦列多段の熱磁気エンジン。
(57)【要約】      （修正有）【課題】眼鏡の装着後、鼻に跡が残らず、しかも眼鏡が安定して装着できるパットレス眼鏡を提供する。【解決手段】眼鏡１と装身具５からなり、眼鏡１は、枠部２と、それに連結するテンプル３と、その先端に取付け部を備えた留め具４からなり、取付部４２は凸状で、磁石が埋め込まれており、装着具５はＵ字形のヘアーバンド状で、鉄が埋めこんだ、凹部状の被取付け部５２を備え、眼鏡１の留め具４の取付部４２と、装着具５の被取付部５２を、あわせて、眼鏡１と装身具が接続するようにしたことを特徴とする。【選択図】図１
0003190047.tif 000002
【実用新案登録請求の範囲】
【請求項１】
眼鏡１と装身具５からなり、眼鏡１は、枠部２と、それに連結するテンプル３と、その先端に取付け部を備えた留め具４からなり、取付部４２は凸状で、磁石が埋め込まれており、装着具５はＵ字形のヘアーバンド状で、鉄が埋めこんだ、凹部状の被取付け部５２を備え、眼鏡１の留め具４の取付部４２と、装着具５の被取付部５２を、あわせて、眼鏡１と装身具が接続するようにしたことを特徴とするパットレス眼鏡。
【考案の詳細な説明】
【技術分野】
【０００１】
眼鏡を装着しても、鼻に跡が残らないパットレス眼鏡に関する。
【背景技術】
【０００２】
従来の眼鏡にはパットがあって、装着後、跡が残っていた。
【先行技術文献】
【特許文献】
【０００３】
【特許文献１】実開平４−１０１５１９号公報
【考案の概要】
【考案が解決しようとする課題】
【０００４】
眼鏡の装着後、鼻に跡が残り、眼鏡を装着しても、装着を不安定であった。
【課題を解決するための手段】
【０００５】
眼鏡１と装身具５からなり、眼鏡１は、枠部２と、それに連結するテンプル３と、その先端に取付け部を備えた留め具４からなり、取付部４２は凸状で、磁石が埋め込まれている。
【０００６】
装着具５はＵ字形のヘアーバンド状で、本体５１と留め具４の取付け部４２と連結する、鉄が埋めこんだ、凹部状の被取付け部５２を備え、眼鏡１の留め具４の取付部４２と、装着具５の被取付部を、あわせると磁石で吸引して、眼鏡１と装身具が接続するようにしたことを特徴とするパットレス眼鏡。
【考案の効果】
【０００７】
眼鏡の装着後、跡が残っていたので、パットレスで眼鏡を装着しても、装着を安定的に止着できる。
【図面の簡単な説明】
【０００８】
【図１】本考案のパットレス眼鏡の構成（ａ）眼鏡  （ｂ）カチューシャ
【図２】本考案の留め具のテンプルへの取付方法
【図３】本考案のパットレス眼鏡の使用図
【考案を実施するための形態】
【０００９】
本考案のパットレス眼鏡１は、テンプル３に、装着具５に取付ける留め具４を備えて固定することでパットレスを実現するパットレス眼鏡である。
【００１０】
図１と図２で、本考案のパットレス眼鏡の構成を説明する。
図１に本考案のパットレス眼鏡  （ａ）は眼鏡、（ｂ）は装身具を示す。
本考案のパットレス眼鏡１は、図１（a）に示す眼鏡１と、図1（b）に示す装身具５からなる。
図１（a）に示すように、眼鏡１は、枠部２と、それに連結するテンプル３と、その先端に取付け部を備えた留め具４からなる。テンプル３は、先端部に、留め具４を取り付けるための取付け穴３１を備える。留め具４は、本体４１と、取付け部４２、取付け穴４３、ストッパ４５、及びビス４４からなる。
図２は、本考案の留め具のテンプルへの取付方法で、ビス４４の上に、取付部４２を設けた例を示す。
取付け部４２は凸状で、磁石が埋め込まれており、装着部の凹状の被取付部５２に埋め込まれた鉄と吸引して接続される。
【００１１】
装着具５は、図１（ｂ）に示すように使用者の頭に着脱自在に装着されるＵ字形のヘアーバンド状のものである。装着具５は、本体５１と留め具４の取付け部４２と連結する凹部状の被取付け部５２を備える。被取付け部５２は凹状で中に、鉄が埋め込まれており、留め具４の取付け部４１と吸引して接続される。
【００１２】
図２は留め具のテンプルへの取付け方法を示す。
留め具４は、留め具の取付け穴４３と、テンプルの取付け穴３１をあわせて、ビス４４を嵌挿して回動可能に取り付ける。留め具４は留め具本体４１に取付け部４２とテンプル３を連結する為の取付け穴４３を有し、留め具本体４１とテンプル３のそれぞれに設けた取付け穴３１、取付け４３にビス４４を貫通させることで回転可能に留め具４とテンプル３を図１（a）のように連結する。さらに、テンプル３が留め具４の本体４１を９０度を超えて回らないようにストッパー４５を設け、眼鏡１をかけた時下がらないようにする。
【００１３】
図３は、使用例を示す図である。まず、装身具５を取り付ける。次ぎに眼鏡１の留め具４の取付け部４２と、装着具５の被取付部を、あわせると磁石で吸引して、眼鏡１と装身具５が接続される。これにより、眼鏡１をパットレスで、鼻にさわることなく、宙に浮かせることができる。そして、装着具５の装着位置を変化させて調整する。
【００１４】
更に、止着手段は、ホック、又は凹凸関係等で係脱する他の適宜な手段を利用することも可能である。
【産業上の利用可能性】
【００１５】
パットレス眼鏡を提供する。
【符号の説明】
【００１６】
Ｐ  パットレス眼鏡
１  眼鏡
２  枠部
３  テンプル
３１  取付け穴
４   留め具
４１  本体
４２  取付け部
４３  取付け穴
４４  ビス
４５  ストッパー
５  装着具
５１  本体
５２  被取付け部
【図１】
0003190047.tif 000003
【図２】
0003190047.tif 000004
【図３】
0003190047.tif 000005